(57)【特許請求の範囲】
【請求項１】
金属製の容器本体と、当該容器本体に対する複数の結合部を形成した合成樹脂製のカバー体と、当該カバー体に着脱自在な形で取り付けられるキャップとを有する噴出容器において、
前記結合部の少なくとも一つを前記容器本体の被結合部の方に変位可能な可動結合部とし、
前記キャップを前記カバー体に取り付けたときには当該キャップの押圧作用に基づいて前記可動結合部が前記容器本体の被結合部の方に変位することにより両者が強く結合し、また、前記キャップを前記カバー体から取り外したときには前記可動結合部の復帰動作によってこの強い結合状態が解除される、
ようにしたことを特徴とする噴出容器。
【請求項２】
前記カバー体として、外筒状部と、前記結合部を形成した内筒状部とを備えるものを用い、前記キャップが、当該外筒状部と当該内筒状部との間の凹部に取り付けられる、
ことを特徴とする請求項１記載の噴出容器。
【請求項３】
金属製の容器本体に対する複数の結合部を形成するとともに、キャップが着脱自在な形で取り付けられる合成樹脂製の容器用カバー体において、
前記結合部の少なくとも一つを前記容器本体の被結合部の方に変位可能な可動結合部とし、
前記キャップが取り付けられたときにはその押圧作用に基づいて前記可動結合部が変位して前記容器本体の被結合部と強く結合し、また、前記キャップが取り外されたときには前記可動結合部の復帰動作によってこの強い結合状態を解除する、
ようにしたことを特徴とする容器用カバー体。
【請求項４】
外筒状部と、前記結合部を形成した内筒状部とを備え、前記キャップが、当該外筒状部と当該内筒状部との間の凹部に取り付けられる、
ことを特徴とする請求項３記載の容器用カバー体。
【発明の詳細な説明】
【０００１】
【発明の属する技術分野】
本発明は、金属製の容器本体と合成樹脂製のカバー体とを結合させて一体化し、当該カバー体にはキャップを着脱自在な形で取り付けた噴出容器や、そこでの当該カバー体に関し、特に、容器本体とカバー体との結合の程度が、キャップをカバー体に取り外すことによりそれまでのキャップ取付時よりも弱くなるようにして、噴出容器の分別廃棄時や再利用時などのときの容器本体とカバー体との分離作業をカバー体へのキャップの着脱操作に基づいて行えるようにしたものである。
【０００２】
一般に、金属製の容器本体の上面（開口部側）に合成樹脂製のカバー体を結合させた形式の例えばエアゾール容器などでは、使用中にカバー体が容器本体の開口部から外れることがないように両者を強く結合している。
【０００３】
その一方で、環境保護や資源の有効利用のために、内容物を使い終わった空のエアゾール容器などを処分するときにはその素材ごとに、例えば金属、合成樹脂等に分別回収して個々に廃棄し、またこれらを再利用することが望まれており、本発明はこのような要請により適格に応えるものである。
【０００４】
【従来の技術】
内容物を使い終わった後の金属製容器本体と合成樹脂製カバーとを分別廃棄できるようにしたものとしては、例えば図４及び図５に示すエアゾール式液体噴出容器がある。
【０００５】
図４はカバー体とエアゾール缶を示す斜視図、図５は係合用リングをカバー体に取り付けた状態を示す斜視図である。
【０００６】
ここで、４０は噴出容器、５０はエアゾール缶、５１はマウンテンキャップのカール部、５１ａはカール部５１の下部、５２はステム、６０はカバー体、６１はカバー体の回動部、６１ａは噴出操作部、６１ｂは噴出ノズル、６１ｃは回動部６１と基部６２との接続片、６１ｄは溝部、６２は基部、６３は周壁、６４は周壁６３の内側に設けた複数の垂下片部、６４ａは内側に向けて垂下片部６４の下端部に形成した係合突状部、６５は周壁６３の下面と垂下片部６４との間に形成された段部、６６は垂下片部６４の間に形成されたスリット、７０はカバー体６０とエアゾール缶５０との係合を強化するための略Ｃ字形状の係合用リング、７０ａは開口部、７０ｂは上面、７０ｃは挟持部、７０ｄはハンドル、８０はキャップをそれぞれ示している。
【０００７】
噴出容器４０は、金属製のエアゾール缶５０、合成樹脂製のカバー体６０、係合用リング７０及びキャップ８０などから構成されている。
【０００８】
図４に示すように、カバー体６０の基部６２には、エアゾール缶５０との係合に係わる垂下片部６４を設け、また回動部６１には内容物を噴出するための噴出操作部６１ａや噴出ノズル６１ｂ等を設け、基部６２と回動部６１は接続片６１ｃで連結している。
【０００９】
垂下片部６４に形成した係合突状部６４ａがマウンテンキャップのカール部５１の下部５１ａに係合すると、カバー体６０はエアゾール缶５０に取り付けられる。
【００１０】
なお、複数の垂下片部６４の間にはスリット６６を形成しているので垂下片部６４はある程度の弾性を持っており、カバー体６０をエアゾール缶５０に強く係合させるためには係合用リング７０によって垂下片部６４をマウンテンキャップ側に押圧すればよい。
【００１１】
係合用リング７０を嵌めるには、ハンドル７０ｄを持って開口部７０ａをカバー体６０の垂下片部６４の外側に押し付けていく。この操作により、係合用リング７０はいったん外側に弾性変形し、カバー体６０の垂下片部６４の外側に嵌まる。
【００１２】
このとき、係合用リング７０の上面７０ｂはカバー体６０の下向き段部６５に当接し、また下端側部分はエアゾール缶５０の肩に当接するので、係合用リング７０が上下方向にずれることはない。
【００１３】
この嵌合状態では、挟持部７０ｃが垂下片部５５を外側から押圧するかたちとなり、垂下片部６４の突状部６４ａはマウンテンキャップのカール部５１の下部５１ａに強く係合するためのカバー体６０がエアゾール缶５０から離脱することはない。
【００１４】
なお、通常の搬送時や陳列時には図５に示すように、係合用リング７０の上面７０ｂにキャップ８０を取り付けるようにしている。
【００１５】
使用時にはキャップ８０を外し、操作部６１ａを斜め下方に押すと、回動部６１が基部６２に対して接続片６１ｃを中心に時計方向に回動して、ステム５２が押し下げられ、内容物噴出機構（図示省略）の作用によりエアゾール缶５０の内容物がノズル６１ｂから噴出される。
【００１６】
内容物を使い切った後にハンドル７０ｄを持って係合用リング７０をカバー体６０から引き抜くと、垂下片部６４は外側からの押圧から開放されるので、これの突状部６４ａとマウンテンキャップ５１の下部５１ａとの係合は弱くなる。
【００１７】
この状態でカバー体６０を上方向に引っ張ると、垂下片部６４が外側方向へ変形し、突状部６４ａは下部５１ａから外れ、金属製のエアゾール缶５０と合成樹脂製のカバー体６０とに分別される。
【００１８】
【発明が解決しようとする課題】
このように、従来の金属製容器と合成樹脂製カバーとを分別できる噴出容器は、カバー体のエアゾール缶への取付けに際し専用の係合用リングを新たに用いているので部品点数が増え、製造に手間がかかるという問題点があった。
【００１９】
また、工場出荷の段階から利用者が内容物を使い切って分別廃棄の実行にいたるまでの長期にわたり、係合用リングを垂下片部に装着した状態が続くので、例えば搬送時や陳列時にハンドル部分が邪魔になり場所をとる、あるいは使用時に利用者がこれに手などを引っかけて噴出容器を倒してしまうなどという問題点があった。
【００２０】
そこで、本発明では、カバー体の容器本体に対する結合部の少なくとも一つをキャップの押圧作用で変位して容器本体に強く係合する可動結合部とし、キャップをカバー体から外したときには当該可動結合部がその自己復帰動作によって容器本体とのそれまでの強い結合状態をが解除される構成をとることにより、噴出容器の構成部品を増やさずに、キャップの取り外しという通常の操作に基づいて、金属製の容器本体と合成樹脂製のカバー体との分別回収を行えるようにすることを目的とする。
【００２１】
また、噴出容器外側部分に凹凸部がなく販売者や利用者が取扱い易い噴出容器にすることを目的とする。
【００２２】
【課題を解決するための手段】
本発明は前記課題を次のようにして解決する。
（１）金属製の容器本体と、当該容器本体に対する複数の結合部を形成した合成樹脂製のカバー体と、当該カバー体に着脱自在な形で取り付けられるキャップとを有する噴出容器において、前記結合部の少なくとも一つを前記容器本体の被結合部の方に変位可能な可動結合部とし、前記キャップを前記カバー体に取り付けたときには当該キャップの押圧作用に基づいて前記可動結合部が前記容器本体の被結合部の方に変位することにより両者が強く結合し、また、前記キャップを前記カバー体から取り外したときには前記可動結合部の復帰動作によってこの強い結合状態が解除される。
（２）前記（１）において、前記カバー体として、外筒状部と、前記結合部を形成した内筒状部とを備えるものを用い、前記キャップが、当該外筒状部と当該内筒状部との間の凹部に取り付けられるようにする。
（３）金属製の容器本体に対する複数の結合部を形成するとともに、キャップが着脱自在な形で取り付けられる合成樹脂製の容器用カバー体において、前記結合部の少なくとも一つを前記容器本体の被結合部の方に変位可能な可動結合部とし、前記キャップが取り付けられたときにはその押圧作用に基づいて前記可動結合部が変位して前記容器本体の被結合部と強く結合し、また、前記キャップが取り外されたときには前記可動結合部の復帰動作によってこの強い結合状態を解除する。
（４）前記（３）において、外筒状部と、前記結合部を形成した内筒状部とを備え、前記キャップが、当該外筒状部と当該内筒状部との間の凹部に取り付けられるようにする。
【００２３】
本発明は、上記（１），（３）のように、キャップをカバー体に取り付けると、キャップがカバー体の可動結合部を容器本体の被結合部の方に押圧してカバー体と容器本体とを強く結合させ、その後キャップをカバー体から取り外すと、可動結合部はキャップの押圧作用から開放されて元の位置に復帰し、カバー体と容器本体との強い結合状態が解除されるので、これらを容易に分離することができる。
【００２４】
このように、キャップを用いてカバー体の容器本体への係合の程度を調整しているので、容器本体に対するカバー体の結合状態を切り換えるための専用部材を製造する必要がなく、製造工程が複雑化することもない。
【００２５】
既存のキャップと、これが取り付けられるようなカバー体とを用いれば、上記の結合部および可動結合部を有するカバー体のみを新たに製造すれば良い。
【００２６】
噴出容器の外側部分には凹凸がないので、搬送時や陳列時には場所を取らず、また使用中に利用者が手などを引っかけて倒すこともないので取扱い易いものとなる。
【００２７】
また、上記（２），（４）のように、キャップをカバー体の外筒状部と内筒状部との間の凹部に取り付けているので、外筒状部が外部の衝撃からキャップを保護する壁のように働いて、例えば搬送中や陳列時に噴出容器が倒れた場合にもキャップがカバー体から外れることを防止できる。
【００２８】
【発明の実施の形態】
図１乃至図３を用いて本発明の実施の形態を説明する。
図１（ａ）はカバー体の全体形状（特に内筒部）を示す説明図、図１（ｂ）はカバー体の底面図、図１（ｃ）はカバー体の内筒部に形成した可動片部を示す説明図、図２はカバー体にキャップを取り付けた状態の断面図、図３（ａ）はキャップの押圧作用でカバー体の可動片部がマウンテンキャップと強く係合している状態を示す説明図、図３（ｂ）は図３（ａ）のキャップの押圧作用が解除された状態を示す説明図である。
【００２９】
なお、図１（ａ）は図１（ｂ）のＣ−Ｄ曲面（主に内筒部）に対応した正面図、図１（ｃ）は図１（ｂ）のＡ方向に対応した正面図、図２は図１（ｂ）のＣ−Ｃ’に沿った断面図、図３（ａ）は図１のＢ部分に対応した拡大図である。
【００３０】
これらの図において、
１は噴出容器、１０はカバー体、１１は回動部、１２はノズル、１３は押し釦、１４は基部、１４ａは基部１４と回動部１１との接続片、１５は外筒部、１６は内筒部、１６ａは内筒部の内壁に設けた固定突状部（結合部）、１６ｂは内筒部の内壁に形成した補強用のリブ、１７は内筒部に形成した可動片部（可動結合部）、１７ａは可動片部の内壁に設けた突状部（可動結合部）、１７ｂは可動片部の外壁に形成した張出部、１７ｃは内筒部と可動片部との間に形成されたスリット、１８は内筒部と外筒部の間の環状凹部、１８ａは環状凹部１８の底面に形成した隙間、２０はキャップ、２０ａはキャップの下端外周面、２０ｂはキャップの内周面に下端部が厚くなるように形成したテーパ面、３０は容器本体、３１はマウンテンキャップ、３１ａはマウンテンキャップの下部、３２はステムをそれぞれ示している。
【００３１】
図１（ａ）及び図２に示すように、カバー体１０は、内容物を噴出するための押し釦１３やノズル１２を備えた回動部１１、及び容器本体３０に係合する基部１４から構成され、回動部１１と基部１４とは接続片１４ａで連結している。
【００３２】
基部１４は外筒部１５および内筒部１６からなり、その間にはキャップ２０が取り付けられる環状凹部１８が形成されている。
【００３３】
図１（ｂ）に示すように、内筒部１６の内周面には補強用リブ１６ｂが形成され、また２筒所の可動片部１７と１箇所の固定突状部１６ａが内周面を３等分するかたちで形成されている。
【００３４】
可動片部１７の両側にはスリット１７ｃを形成し、環状凹部１８の底面にはスリット１７ｃにつながる隙間１８ａを形成しているので、可動片部１７は外側方向から押圧されると内側方向に撓み、この押圧力から開放されると元の位置に復帰する。
【００３５】
また、可動片部１７は、内側にはマウンテンキャップ３１の下部３１ａと係合する突状部１７ａを形成し、外側にはキャップ２０の内周面に形成したテーパ面２０ｂと当接する張出部１７ｂを形成している。（図１（ｃ）及び図３参照）
【００３６】
図２に示すように、キャップ２０は内筒部１６と外筒部１５の間の環状凹部１８に入る態様でカバー体１０に取り付けられ、内容物の噴出操作用の回動部１１の誤動作を防止するとともに、キャップ２０の下端外周面２０ａが外筒部１５と内筒部１６とによって囲まれたかたちとなり、例えば噴出容器１が倒れた場合にもキャップ２０がカバー体１０から外れることを防止する。
【００３７】
また、図３（ａ）に示すように、キャップ２０のテーパ面２０ｂが可動片部１７の張出部１７ｂを押圧して可動片部１７は内側に撓み、突状部１７ａがマウンテンキャップ３１の下部３１ａに入り込んでこれと強く係合する。その結果、カバー体１０は容器本体３０と固定突状部１６ａおよび可動片部１７、１７の計３ヶ所で強く係合した状態となる。
【００３８】
キャップ２０を取り外すと図３（ｂ）に示すように、可動片部１７ｂはキャップ２０の押圧から開放されて元の位置に復帰し、突状部１７とマウンテンキャップ３１の下部３１ａとの係合の程度は弱いものとなる。
【００３９】
このとき、内筒部１６の内壁に設けた固定突状部１６ａはマウンテンキャップ３１の下部３１ａに強く係合しているので、カバー体１０が容器本体３０から外れることはない。
【００４０】
この状態で利用者が押し釦１３を押すと、回動部１１が接続片１４ａを回動軸として時計方向に回動し、内容物噴出機構（図示省略）の作用により内容物がノズル１２から噴出される。
【００４１】
内容物を使い切った後に噴出容器１を分別するには、キャップ２０を外すことにより可動片部１７とマウンテンキャップ３１との強い係合状態を解除してからカバー体１０の固定突状部１６ａから周方向に離れた任意のカバー体外周面を、例えば固定突状部１６ａと対向する側のカバー体外周面部分を持ち上げればよい。
【００４２】
可動片部１７とマウンテンキャップ３１との係合力はすでに弱くなっているので、可動片部１７はこの持ち上げ操作によりマウンテンキャップ３１を容易に乗り越え、カバー体１０が容器本体３０から外れる。
【００４３】
なお、カバー体１０の内筒部１６に形成する固定突状部１６ａや可動片部１７の数は任意であり、また、外筒部１５を省略した形のカバー体や、環状凹部１８を形成しないで外筒部にキャップ２０を取り付ける形のカバー体を用いるようにしてもよい。
【００４４】
また、本発明のカバー体は、操作部が直線移動する押しボタン形式の内容物噴出機構にも利用できることはもちろんである。
【００４５】
【発明の効果】
本発明は、このように、金属製の容器本体に結合する合成樹脂製のカバー体に、結合部の少なくとも一つを容器本体の被結合部の方に変位可能な可動結合部としたので、キャップの取り付け、取り外しによってカバー体の容器本体への係合の程度を調整することができ、カバー体の容器本体への取付けに専用部材を用いる必要がなく、製造工程が複雑化することがない。
【００４６】
また、既存のキャップと、これが取り付けられるようなカバー体とを用いれば、結合部や可動結合部を形成したカバー体のみを新たに製造すれば良いので、製造工程をより合理化することができる。
【００４７】
また、噴出容器の外側部分には凹凸がないので、搬送時や陳列時には場所を取らず、使用中に利用者が手などを引っかけて倒すことも少なく取扱い易い。
【００４８】
また、キャップをカバー体の外筒状部と内筒状部との間の凹部に取り付けているので、外筒状部が外部の衝撃からキャップを保護する壁のように働いて、例えば搬送中や陳列時に噴出容器が倒れた場合にもキャップがカバー体から外れることが防止される。
【図面の簡単な説明】
【図１】本発明の、カバー体を示しており、図１（ａ）はカバー体の全体形状（特に内筒部）を示す説明図、図１（ｂ）はカバー体の底面図、図１（ｃ）はカバー体の内筒部に形成した可動片部を示す説明図である。
【図２】本発明の、カバー体にキャップに取り付けた状態の断面図である。
【図３】本発明の、カバー体の可動片部に対するキャップの押圧作用を示しており、図３（ａ）はキャップの押圧作用でカバー体の可動片部がマウンテンキャップと強く係合している状態を示す説明図、図３（ｂ）は図３（ａ）のキャップの押圧作用が解除された状態を示す説明図である。
【図４】従来の、エアゾール式噴出容器のカバー体とエアゾール缶を示す斜視図である。
【図５】従来の、エアゾール式噴出容器の係合用リングをカバー体に取り付けた状態を示している。
【符号の説明】
１：噴出容器
１０：カバー体
１１：回動部
１２：ノズル
１３：押し釦
１４：基部
１４ａ：基部と回動部との接続片
１５：外筒部
１６：内筒部
１６ａ：固定突状部（結合部）
１６ｂ：補強リブ
１７：可動片部（可動結合部）
１７ａ：突状部（可動結合部）
１７ｂ：張出部
１７ｃ：スリット
１８：環状凹部
１８ａ：隙間
２０：キャップ
２０ａ：下端外周面
２０ｂ：テーパ面
３０：容器本体
３１：マウンテンキャップ
３１ａ：下部
３２：ステム
【図１】
0003970443.tif 000002
【図２】
0003970443.tif 000003
【図３】
0003970443.tif 000004
【図４】
0003970443.tif 000005
【図５】
0003970443.tif 000006